(57)【要約】【課題】係合する際の係止片の撓み方向が一方向であるため、係合後に反対方向に係止片を撓ませれば簡単に係合が解除されてしまうという課題があった。【解決手段】本発明にかかる遊技機において、待ち受け部２５に第一および第二のガイド部２５ｂ，２５ａを設け、それぞれにより異なる方向に係止片１５ｂを撓ませつつ待ち受け部２５に係合させる。これにより、上記係合を解除する場合にも異なる二方向に係止片１５ｂを撓ませることが必要となり、同係合の解除が困難となる。従って、制御ボックスの封止が強固で、簡単に制御基板等に不正がなされない遊技機を提供することができる。【選択図】  図１１
2005144015.tif 000002
【特許請求の範囲】
【請求項１】
皿部材と蓋部材とを相対移動させて皿部材の開口を蓋部材により閉鎖した状態で両者を固定させる封止構造を有する制御ボックスを備える遊技機において、
上記皿部材と上記蓋部材の一方から延設された略棒状の係止片と、
上記係止片が設けられない上記皿部材と上記蓋部材のいずれかに設けられ上記皿部材と上記蓋部材とが相対移動する際に上記係止片が挿入される待ち受け部と、
上記待ち受け部に形成され上記係止片の挿入方向の奥方に面する抜け止め面と、
上記係止片に形成され上記係止片の挿入方向の前方に面する係止面と、
上記待ち受け部に形成され上記係止片が挿入される際に傾斜面にて上記係止片を案内することにより同係止片を撓ませるとともに上記皿部材の開口が上記蓋部材により閉鎖されるまで両者を相対移動させたとき同係止片を原形状に復元させることにより、上記抜け止め面より上記挿入方向の奥方にて上記係止面を同抜け止め面と対面させる第一のガイド部と、
上記待ち受け部に形成され上記係止片が原形状に同復元したとき同係止片に当接し上記第一のガイド部による撓み方向へ同係止片が撓むことを規制する規制部と、
上記待ち受け部に形成され上記係止片が挿入される際に傾斜面にて上記係止片を案内することにより上記第一のガイド部による撓みとは異なる方向に同係止片を撓ませて上記規制部が同係止片に干渉しないようにする第二のガイド部とを具備することを特徴とする遊技機。
【発明の詳細な説明】
【技術分野】
【０００１】
本発明は、制御基板を収容した制御ボックスを備えた遊技機に関する。
【背景技術】
【０００２】
従来、この種の遊技機として、可撓性を有する係止片を撓ませながら待ち受け部に挿入することにより、係止片が原形状に復元した際には係止片が待ち受け部に係合するものが知られている(例えば、特許文献１における図３の係止片３２および図７の封止部材４４ｂ参照。)。
かかる構成によれば、係止片を待ち受け部に挿入するだけで係合が可能であるため、工具等も必要なく簡単に制御ボックスを封止させることが可能であった。        
【特許文献１】特開２００２−１７２２４３号公報
【発明の開示】
【発明が解決しようとする課題】
【０００３】
上述した従来の遊技機において、係止片が係合する際に撓む方向は一方向(例えば、略Ｕ字状の封止部材４４ｂであればそれぞれ内側方向)であるため、それとは反対方向に係止片が撓まされれば簡単に係合を解除することが可能であった。従って、制御ボックスの封止状態が解除され内部に収容された制御基板に不正がなされてしまうという課題があった。
本発明は、上記課題にかんがみてなされたもので、係合を解除するための係止片の撓み方向を一方向としないことにより、容易に封止状態が解除されない制御ボックスを備える遊技機の提供を目的とする。
【課題を解決するための手段】
【０００４】
上記目的を達成するため、請求項１にかかる発明では、皿部材と蓋部材とを相対移動させて皿部材の開口を蓋部材により閉鎖した状態で両者を固定させる封止構造を有する制御ボックスを備える遊技機において、
上記皿部材と上記蓋部材の一方から延設された略棒状の係止片と、上記係止片が設けられない上記皿部材と上記蓋部材のいずれかに設けられ上記皿部材と上記蓋部材とが相対移動する際に上記係止片が挿入される待ち受け部と、上記待ち受け部に形成され上記係止片の挿入方向の奥方に面する抜け止め面と、上記係止片に形成され上記係止片の挿入方向の前方に面する係止面と、上記待ち受け部に形成され上記係止片が挿入される際に傾斜面にて上記係止片を案内することにより同係止片を撓ませるとともに上記皿部材の開口が上記蓋部材により閉鎖されるまで両者を相対移動させたとき同係止片を原形状に復元させることにより、上記抜け止め面より上記挿入方向の奥方にて上記係止面を同抜け止め面と対面させる第一のガイド部と、上記待ち受け部に形成され上記係止片が原形状に同復元したとき同係止片に当接し上記第一のガイド部による撓み方向へ同係止片が撓むことを規制する規制部と、上記待ち受け部に形成され上記係止片が挿入される際に傾斜面にて上記係止片を案内することにより上記第一のガイド部による撓みとは異なる方向に同係止片を撓ませて上記規制部が同係止片に干渉しないようにする第二のガイド部とを具備する構成としてある。
【０００５】
すなわち、皿部材と蓋部材とが相対可能であり、両者を所定の位置まで相対移動させることにより、上記皿部材の開口を上記蓋部材により閉鎖させることができる。この状態において、封止構造が上記皿部材と上記蓋部材とを固定することにより、制御ボックスを封止することができる。上記皿部材と上記蓋部材のいずれか一方には略棒状の係止片が延設され、もう一方には上記皿部材と上記蓋部材とが相対移動する際に同係止片が挿入される待ち受け部が設けられる。上記係止片の挿入方向の奥方に面する抜け止め面が上記待ち受け部に形成される。一方、上記係止片の挿入方向の前方に面する係止面が上記係止片に形成される。
【０００６】
上記待ち受け部に形成された第一のガイド部は、上記係止片が挿入される際に傾斜面にて上記係止片を案内し同係止片を撓ませる。そして、第一のガイド部は、上記皿部材の開口が上記蓋部材により閉鎖されるまで両者を相対移動させたときには、同係止片を原形状に復元させる。このとき、上記係止面が上記抜け止め面より挿入方向の奥方にて、同抜け止め面に対面する。すなわち、上記抜け止め面が挿入方向の前方から干渉するため、同係止面を挿入方向の前方に移動できなくさせることができる。これにより、上記係止片を上記待ち受け部に対して抜け止めすることができ、これらを互いに係合させることができる。つまり。これらが形成された上記皿部材と上記蓋部材との相対移動を規制し、上記制御ボックスを封止することができる。
【０００７】
また、上記待ち受け部に形成された規制部は、上記係止片が原形状に同復元したとき同係止片に当接する。これにより、上記第一のガイド部による撓み方向へ同係止片が撓むことを規制することができる。すなわち、上記第一のガイド部による撓み方向へ上記係止片を再び撓ませることにより、上記係合が解除されるのを防止する。上記待ち受け部に形成された第二のガイド部は、記係止片が挿入される際に傾斜面にて上記係止片を案内し同係止片を撓ませる。これにより、上記係止片が上記規制部に干渉することなく、上記待ち受け部に上記係止片を挿入させることができる。
【０００８】
第二のガイド部による上記係止片の撓み方向は、上記第一のガイド部による撓みとは異なる方向である。従って、上記待ち受け部に対する上記係止片の上記係合を解除するには、上記係止片の上記規制部への干渉を避けるように同係止片を撓ませつつ、これとは異なる上記第一のガイド部による撓み方向への同係止片を撓ませなければならず、上記係合の解除が困難となる。すなわち、上記係合を解除するには、上記係止片を異なる二方向に変形させなければならず、上記制御ボックスの内部に備えられた制御基板等に対する不正が困難となる。
本発明は、上記の構成に限られるものではなく、以下の手段も含むものである。 
【０００９】
手段１
手段１にかかる発明は、請求項１に記載の発明において、上記皿部材と上記蓋部材とをスライドさせて同皿部材の開口を同蓋部材により閉鎖する構成としてある。
すなわち、上記皿部材と上記蓋部材とをスライドさせることにより、上記係止片を上記待ち受け部に係合させることができ、同時に上記制御ボックスを閉鎖させた状態で封止することが可能となる。
【００１０】
手段２
手段２にかかる発明は、請求項１に記載の発明において、上記皿部材と上記蓋部材とは互いに回動可能であり、両者を所定の角度に回動させることにより同皿部材の開口が同蓋部材により閉鎖される構成としてある。
すなわち、上記皿部材と上記蓋部材とを回動させることによっても上記係止片を上記待ち受け部に係合させることができ、同時に上記制御ボックスを閉鎖させた状態で封止することが可能となる。
【００１１】
手段３
手段３にかかる発明は、請求項１または手段１または手段２のいずれかに記載の発明において、上記係止片の上記第一のガイド部による撓み方向と、上記第二のガイド部による撓み方向とは直角に交差する構成としてある。
すなわち、上記係止片の上記第一のガイド部による撓み方向と、上記第二のガイド部による撓み方向とは共通の方向成分を有しないこととなる。従って、上記抜け止めを解除すべく上記第一のガイド部による撓み方向へ上記係止片を再び撓ませた場合に、偶然、上記第二のガイド部による撓み方向に上記係止片が撓んで上記係合が解除されてしまうことが防止できる。
【００１２】
手段４
手段４にかかる発明は、請求項１または手段１から手段３のいずれかに記載の発明において、上記係止片は、軸方向が挿入方向と略一致し、同挿入方向の奥方の端部が自由端とされる構成としてある。
すなわち、上記係止片は挿入方向の奥方の端部を自由端として上記第一および第二のガイド部により撓むことが可能となる。上記係止片の軸方向が挿入方向と略一致するため、上記係止片を挿入させるための上記待ち受け部を小さく形成することができる。
【００１３】
手段５
手段５にかかる発明は、請求項１または手段１または手段４のいずれかに記載の発明において、上記係止面および上記抜け止め面は上記係止片の挿入方向に対して略垂直な平面である構成としてある。
すなわち、上記係止面および上記抜け止め面は上記係止片の挿入方向に対して略垂直な平面である。従って、上記係止面と上記抜け止め面とが対面した状態で上記係止片を挿入方向前方に引き抜こうとしても、上記係止片を引き抜く力は両平面にて垂直に作用する。従って、上記係止片を引き抜く力は全て両者間における摩擦力となり、これらの接触面にて両者を滑らすような分力は生成されない。従って、上記係止片を挿入方向前方に無理に引っ張っても、これらの接触面にて両者を滑らすような分力は生成されず、上記係合が解除されることはない。
【００１４】
手段６
手段６にかかる発明は、請求項１または手段１から手段５のいずれかに記載の発明において、上記係止片は上記皿部材の開口が上記蓋部材により閉鎖されるまで上記皿部材と上記蓋部材を相対移動させたとき、壁面に囲われて外部から区画される構成としてある。
すなわち、上記制御ボックスの封止状態において、上記係止片を外部から保護することにより、同係止片が変形させられて上記係合が解除されてしまうことを防止することができる。
【００１５】
手段７
手段７にかかる発明は、請求項１または手段１から手段６のいずれかに記載の発明において、上記皿部材および上記蓋部材は透明な合成樹脂で形成される構成としてある。
すなわち、上記係止片の状態が簡単に外部から視認することができるため、例えば上記係止片が破壊されたりして上記係合が解除されたことを確認しやすくすることができる。
【００１６】
手段８
手段８にかかる発明は、手段４または手段７のいずれかに記載の発明において、上記皿部材または上記蓋部材には、上記係止片を同係止片が延設された同皿部材または同蓋部材から切り離す刃物を侵入させるための窓穴が穿設される構成としてある。
すなわち、メンテナンス等の目的で上記制御ボックスの封止を解除させるために、上記係止片を同係止片が延設された同皿部材または同蓋部材から切り離すことができる。
【００１７】
手段９
手段９にかかる発明は、手段８に記載の発明において、上記窓穴は、上記遊技機に取り付けた状態における上記制御ボックスの視認可能な位置に形成される構成としてある。
すなわち、上記窓穴を視認可能な位置に形成しておくことにより、上記遊技機に上記制御ボックスを取り付けた状態で上記制御ボックスの開放履歴を簡単に確認することができる。
【００１８】
手段１０
手段１０にかかる発明は、手段６から手段９のいずれかに記載の発明において、上記待ち受け部は、底面と、同底面から立設し上記係止片を挿入方向奥方から囲む奥方壁面と、同底面から立設し上記係止片を挿入方向側方から囲む一対の側方壁面とからなる開放的な空間であるとともに、
上記皿部材の開口が上記蓋部材により閉鎖されるまで上記皿部材と上記蓋部材を相対移動させたとき、同待ち受け部が形成されない上記皿部材または上記蓋部材に形成された閉鎖面により蓋がされることにより外部から閉鎖的な空間とされる構成としてある。
すなわち、上記待ち受け部とは異なる部材の上記閉鎖面にて上記待ち受け部を閉鎖させることにより、封止状態においては上記待ち受け部を閉鎖空間として上記係止片を外部から保護しつつも、上記待ち受け部を開放的な形状に形成することができる。上記待ち受け部が開放的な形状であるため、上記待ち受け部の成形が簡単となる。例えば、樹脂成形における型抜き等の工程を簡単に行うことができる。
【００１９】
手段１１
手段１１にかかる発明は、手段１０に記載の発明において、上記待ち受け部には、同待ち受け部が形成されない上記皿部材または上記蓋部材に形成された切り欠きに挿入されることにより上記閉鎖面と上記待ち受け部とが離間しないように拘束される浮き止め部が延設される構成としてある。
すなわち、上記閉鎖面と上記待ち受け部とを離間させて両者の間に隙間を生じさせることを防止することができる。従って、上記閉鎖面と上記待ち受け部とで囲まれた上記係止片に外部から不正を加えることを困難とすることができる。
【００２０】
手段１２
手段１２にかかる発明は、手段１１に記載の発明において、上記待ち受け部と上記浮き止め部とが形成される板状部には同板状部の剛性を確保するためのリブが形成される構成としてある。
すなわち、リブが設けられることにより上記待ち受け部と上記浮き止め部とが形成される板状部の剛性を向上させることができ、上記待ち受け部の周囲が変形させられることによって上記閉鎖面と上記待ち受け部との間に隙間を生じさせることを防止することができる。
【００２１】
手段１３
手段１３にかかる発明は、手段４から手段１２のいずれかに記載の発明において、上記係止片は二個備えられ、上記皿部材と上記蓋部材の一方から延設され略Ｕ字状に形成された係止部における互いに略平行な一対の棒状部分を構成する構成としてある。
すなわち、略Ｕ字状に形成された係止部が上記皿部材と上記蓋部材の一方から延設されるとともに、二個の上記係止片は同係止部において互いに略平行な一対の棒状部分を構成する。二個の上記係止片がそれぞれ上記待ち受け部に係合することができるため、上記係合の強度を強いものとすることができる。また、上記係合を解除させるには、それぞれの上記係止片を異なる二方向に撓ませることを要するため、簡単に上記係合を解除することができない。
【００２２】
手段１４
手段１４にかかる発明は、手段１３に記載の発明において、略Ｕ字の上記係止部は上記皿部材または上記蓋部材から略棒状の連結部を介して延設され、同連結部が上記窓穴から外部に露出する構成としてある。
すなわち、上記係止部が略棒状の上記連結部を介して延設され、同連結部は上記窓穴から外部に露出する。従って、メンテナンス等の際には上記窓穴を介して外部から上記連結部を切断することができる。上記連結部を切断すれば二個備えられる上記係止片の双方を上記皿部材または上記蓋部材から切り離すことができるため、二個の同係止片の拘束力を同時に失わせることができる。従って、上記係止片を二個備えたとしても上記制御ボックスの開放作業が煩雑なものとならない。
【００２３】
手段１５
手段１５にかかる発明は、手段１３または手段１４のいずれかに記載の発明において、略Ｕ字状の上記係止部は、二個の上記係止片の両方が上記底面に平行となるように配向されるとともに、
上記第一のガイド部は上記側方側面のそれぞれから内側に突設され上記係止部をそれぞれ内側に撓ませる構成としてある。
すなわち、上記係止片は挿入方向の奥方の自由端が上記側方側面のそれぞれから内側に突設された上記第一のガイド部のそれぞれの傾斜面に案内されることにより、上記係止片はそれぞれ内側に撓まされる。このように、上記係止片を内側に接近させるように撓ませれば、上記係止部の原形状より大きいスペースを上記待ち受け部に確保する必要がなくて済む。
【００２４】
手段１６
手段１６にかかる発明は、手段１５に記載の発明において、上記規制部は、上記第一のガイド部より上記係止片の挿入方向の奥方において、略Ｕ字状の上記係止部における一対の上記係止片の間隔よりやや小さい幅で上記底面から突設されるとともに、
前方端部に上記底面までの傾斜面を上記第二のガイド部として有する構成としてある。
【００２５】
すなわち、上記規制部は上記底面から所定の高さで突設され、略Ｕ字状の上記係止部における一対の上記係止片の間隔よりやや小さい幅に形成される。従って、上記規制部における幅方向の外側側面のそれぞれが、原形状に復帰し上記底面に接する上記係止片のそれぞれに内側から対面する。すなわち、封止状態においては上記係止片が互い内側に撓むことができなくなる。これにより、上記係止片を互いに内側に撓ませて上記係合を解除することを防止することができる。
【００２６】
一方、上記係止部を上記待ち受け部に挿入させる際には、上記第一のガイド部による上記係止片のそれぞれの内側への撓みにより、同係止片の挿入方向の前方端部同士の間隔は狭まっている。また、上記規制部は上記第一のガイド部より上記係止片の挿入方向の奥方に形成されるため、上記係止片の前方端部が上記第二のガイド部としての傾斜面に到達するときの同前方端部同士の間隔は上記規制部や同傾斜面の幅よりも狭くなっている。従って、上記係止片の前方端部は両方とも上記傾斜面によって案内され、上記規制部と干渉することなく前方に進行することができる。
【００２７】
手段１７
手段１７にかかる発明は、手段１５または手段１６のいずれかに記載の発明において、上記リブは上記側方壁面を挟んだ上記第一のガイド部の反対側に形成される構成としてある。
すなわち、上記リブは上記第一のガイド部の周囲における剛性を向上させるため、上記第一のガイド部による変形の反力によって変形されることを防止することができる。
【００２８】
手段１８
手段１８にかかる発明は、請求項１または手段１から手段１７のいずれかに記載の発明において、上記待ち受け部は、第二の抜け止め面を備えるとともに、
上記係止片には、上記第二のガイド部により同係止片が撓みつつ上記皿部材の開口が上記蓋部材により閉鎖されるまで上記皿部材と上記蓋部材とを相対移動させたとき同係止片が原形状に復元することにより、上記第二の抜け止め面より上記挿入方向の奥方にて同第二の抜け止め面と対面する第二の係止面が備えられる構成としてある。
すなわち、第一の係止面と第一の抜け止め面とによる係合と第二の係止面と第二の抜け止め面とによる係合とによって、上記係止片は上記待ち受け面に係合するため、より強固に上記制御ボックスを封止させることができる。上記係合を解除するには、上記係止片を上記第一のガイド部による撓み方向へ撓ませつつ、上記第二のガイド部による撓み方向にも撓ませる必要があるため、上記係合を解除するのは非常に困難となる。
【００２９】
手段１９
手段１９にかかる発明は、請求項１または手段１から手段１８のいずれかに記載の発明において、上記第一のガイド部と上記第二のガイド部は上記係止片における異なる部位を撓ませる構成としてある。
すなわち、上記第一のガイド部による撓みと、上記第二のガイド部による撓みを異なる部位に分散させることにより、上記係止片における変形箇所が集中しないようにすることができる。
【００３０】
手段２０
手段２０にかかる発明は、皿部材と蓋部材とを相対移動させて皿部材の開口を蓋部材により閉鎖した状態で両者を固定させる封止構造を有する制御ボックスを備える遊技機において、
上記皿部材と上記蓋部材の一方から延設された略棒状の係止片と、
上記係止片が設けられない上記皿部材と上記蓋部材のいずれかに設けられ上記皿部材と上記蓋部材とが相対移動する際に上記係止片が挿入される待ち受け部と、
上記待ち受け部に形成され上記係止片の挿入方向の奥方に面する第一および第二の抜け止め面と、
上記係止片に形成され上記係止片の挿入方向の前方に面する第一および第二の係止面と、
上記待ち受け部に形成され上記係止片が挿入される際に傾斜面にて上記係止片を案内することにより同係止片を撓ませるとともに上記皿部材の開口が上記蓋部材により閉鎖されるまで両者を相対移動させたとき同係止片を原形状に復元させることにより、上記第一の抜け止め面より上記挿入方向の奥方にて上記第一の係止面を同第一の抜け止め面と対面させる第一のガイド部と、
上記待ち受け部に形成され上記係止片が挿入される際に傾斜面にて上記係止片を案内することにより上記第一のガイド部による撓みとは異なる方向に同係止片を撓ませるとともに上記皿部材の開口が上記蓋部材により閉鎖されるまで両者を相対移動させたとき同係止片を原形状に復元させることにより、上記第二の抜け止め面より上記挿入方向の奥方にて上記第二の係止面を同第二の抜け止め面と対面させる第二のガイド部とを具備する構成としてある。
【００３１】
かかる構成によっても、上記係止片と上記待ち受け部との係合を解除するには、上記係止片を上記第一のガイド部による撓み方向へ撓ませつつ、上記第二のガイド部による撓み方向にも撓ませる必要があるため、上記係合が解除されにくくすることができる。すなわち、必ずしも規制部を設けなくても、上記係合が解除されにくくすることができる。
【発明の効果】
【００３２】
以上説明したように、請求項１にかかる発明によれば、簡単に封止が解除されない制御ボックスを備える遊技機を提供することができる。
手段１にかかる発明によれば、皿部材と蓋部材とをスライドさせて制御ボックスを閉鎖させることができる。
手段２にかかる発明によれば、皿部材と蓋部材とを回動させて制御ボックスを閉鎖させることができる。
手段３にかかる発明によれば、偶然に皿部材と蓋部材との係合が解除されてしまうことを防止することができる。
手段４にかかる発明によれば、待ち受け部を小型化することができる。
手段５にかかる発明によれば、皿部材と蓋部材とを無理矢理スライドさせても係合が解除されないようにすることができる。
【００３３】
手段６にかかる発明によれば、係止片に外部から手を加え係合が解除されないようにすることができる。
手段７にかかる発明によれば、不正の痕跡を簡単に確認することができる。
手段８にかかる発明によれば、メンテナンス等を行う際には制御ボックスを開放させることができる。
手段９にかかる発明によれば、制御ボックスの開放履歴を簡単に確認することができる。
手段１０にかかる発明によれば、待ち受け部の成形が簡単となるとともに、係止片に外部から手を加え係合が解除されないようにすることができる。
【００３４】
手段１１にかかる発明によれば、係止片に外部から手を加え係合が解除されないようにすることができる。
手段１２にかかる発明によれば、係止片に外部から手を加え係合が解除されないようにすることができる。
手段１３にかかる発明によれば、より強固に皿部材と蓋部材とを係合させることができる。
手段１４にかかる発明によれば、制御ボックスの開放作業が煩雑なものとならない。
手段１５にかかる発明によれば、待ち受け部を小型化することができる。
【００３５】
手段１６にかかる発明によれば、係止片を規制部に干渉させることなく挿入することができる。
手段１７にかかる発明によれば、確実に第一のガイド部によって係止片を撓ませることができる。
手段１８にかかる発明によれば、より強固に皿部材と蓋部材とを係合させることができる。
手段１９にかかる発明によれば、係止片の弾性領域内にて同係止片を撓ませることができる。
手段２０にかかる発明によれば、簡単に封止が解除されない制御ボックスを備える遊技機を提供することができる。
【発明を実施するための最良の形態】
【００３６】
以下、下記の順序に従って本発明の実施形態を説明する。
（１）制御ボックスの設置例：
（２）第一の実施形態にかかる制御ボックスについて：
（３）第一の実施形態にかかる封止構造について：
（４）第二の実施形態：
（５）第三の実施形態：
（６）まとめ：
【００３７】
（１）制御ボックスの設置例：
図１は本発明を適用したパチンコ機を背面から見て示しており、制御ボックス７０が背面側から視認できるように装着されている。同図において、制御ボックス７０は外部から閉鎖された状態を維持し、内部に備えられた制御基板に不正されることを防止している。図に示すように、制御ボックス７０はメンテナンスのためにパチンコ機６０を開いたときには、パチンコ機６０の背面側から直に視認できる位置に配設されている。従って、制御ボックス７０内に不正をするために破損されていれば、次のメンテナンス時にはすぐに見つけることが可能となっている。また、制御ボックス７０は透明な合成樹脂で形成されており、その収容された制御基板の様子もパチンコ機６０の背面側から直に視認できる。
【００３８】
また、図２はスロットマシン（パチスロ）８０の背面を示している。同スロットマシン８０の背面側にも矩形箱形の制御ボックス９０が装着されている。同図において、制御ボックス９０は外部から閉鎖された状態を維持し、内部に備えられた制御基板に不正されることを防止している。同図に示すように、メンテナンスのためにスロットマシン８０を開いたときには容易に制御ボックス９０を視認できる。従って、制御ボックス９０内に手を加えるなどのために制御ボックス９０が破損されていれば、次のメンテナンス時にすぐに見つけることが可能となっている。
【００３９】
図示していないが、パチロットにも同様に適用可能である。パチロットは、メダルの代わりにパチンコ遊技球を利用するものであり、例えば、パチンコ球の５個がメダル１個に相当して遊技を楽しむことができる。
【００４０】
（２）第一の実施形態にかかる制御ボックスについて：
図３は本発明の第一の実施形態にかかる制御ボックス７０を上方（図１においてパチンコ機の背面）から見て示している。制御ボックス７０は、下方に深みを有する皿部材１０と上方に深みを有する蓋部材２０とで構成されており、皿部材１０に上方から被さるように蓋部材２０が装着されている。皿部材１０は幅方向両外側に一対のガイド樋１４ａ，１４ａを備えており、ガイド樋１４ａ，１４ａはそれぞれ幅方向内側に向かって略コの字状に開口している。一方、蓋部材２０は幅方向両外側に一対のガイドレール２４ａ，２４ａが備えており、ガイドレール２４ａ，２４ａがそれぞれガイド樋１４ａ，１４ａによって幅方向外側から挟み込まれて保持されている。このようにすることにより、蓋部材２０と皿部材１０は互いに奥行き方向にスライドすることが可能となっている。
【００４１】
なお、以下の説明において、皿部材１０が蓋部材２０に対してスライドするものとし、そのスライド方向を基準として奥行き方向を規定する。奥行き方向の奥方はスライドの際に皿部材１０が進行する先の方向を意味し、奥行き方向の前方はスライドの際に皿部材１０が進行する手前側の方向を意味する。また、奥行き方向の奥方を単に奥方とし、奥行き方向の前方を単に前方と表記する。
【００４２】
同図に示す状態では皿部材１０は蓋部材２０に対して前方にスライドされており、皿部材１０の前方部分は上方に開口している。すなわち、制御ボックス７０は閉鎖された状態となっていない。本実施形態においては、制御基板２３は蓋部材２０に取り付けられているため、制御基板２３は蓋部材２０とともにスライドする。むろん、制御基板２３は皿部材１０の側に取り付けるものであってもよい。制御基板２３上にはＲＯＭ２３ａ〜２３ｆが実装されており、蓋部材２０を透明な合成樹脂で形成することにより制御基板２３およびＲＯＭ２３ａ〜２３ｆの様子を視認することが可能となっている。従って、制御基板２３およびＲＯＭ２３ａ〜２３ｆに対してなされる不正をパチンコ機６０の背面側から監視することが可能となっている。一方、皿部材１０における前方端部には上方に開口する略箱状のピン受け部１２が五個幅方向に並列して延設されており、蓋部材２０における前方端部には略板状の蓋部２２が五個幅方向に並列して延設されている。
【００４３】
図４は、制御ボックス７０の奥方部分を斜めから見て示している。同図において、皿部材１０の蓋部材２０に対するスライド位置は図３に示した状態ものと同等となっている。蓋部材２０の一対のガイドレール２４ａ，２４ａは奥方に延設されており、蓋部材２０の奥方端部には略板状部２１が形成されている。この略板状部２１の幅方向両端には一対の略板状の浮き止め部２９，２９が形成されており、これらのそれぞれ内側には待ち受け部２５，２５が形成されている。一対の待ち受け部２５，２５にはそれぞれ略矩形の窓穴２８，２８が穿設されている。一対の待ち受け部２５，２５のさらに内側は略板状に形成されており、一対のネジ止め穴２７，２７が形成されている。一方、皿部材１０の奥方端部には略板状の閉鎖面１７が延設されている。また、閉鎖面１７とガイド樋１４ａとを連結する略板状部２１における閉鎖面１７と接する部位には前方に向かって切り欠き１４ａ１が形成されている。
【００４４】
図５は、制御ボックス７０の奥方部分を斜めから見て示している。同図において、皿部材１０の蓋部材２０に対するスライド位置は最大限奥方となっている。このとき、図３において示した皿部材１０の前方部分の開口は、皿部材１０が奥方にスライドすることにより完全に塞がれることとなる。すなわち、本状態において蓋部材２０と皿部材１０とで外部から閉鎖された制御ボックス７０の収容空間が形成されることとなる。
【００４５】
そして、図３において示した蓋部材２０の蓋部２２を貫通させつつ金属製のピン４０の先端部を皿部材１０のピン受け部１２の内部に挿入される。このピン４０は先端部がピン受け部１２の内部に挿入された状態においては、ピン受け部１２の内部に装着された金属片５０に噛合するため、再度引き抜くことは不可能となる。また、ピン４０はピン受け部１２と蓋部２２とをかんぬき固定するため、それ以降は皿部材１０と蓋部材２０とのスライドが許容されなくなる。すなわち、制御ボックス７０を外部から閉鎖した状態で封止させることが可能となっている。従って、簡単には制御ボックス７０の内部に収容された制御基板２３に手を加えて不正を行うことは困難となっている。
【００４６】
このようにして、制御ボックス７０の前方端部に設けられた封止構造において制御ボックス７０を封止することが可能となっているが、封止箇所をできるだけ多く設けた方が不正防止の目的において好ましい。そこで、本実施形態においては制御ボックス７０の前方端部のみならず、制御ボックス７０の奥方端部においても封止構造を配設し、さらに確実性の高い不正防止を実現している。
【００４７】
（３）第一の実施形態にかかる封止構造について：
以下、制御ボックス７０の奥方端部において配設された封止構造について説明する。図６は、皿部材１０の奥方部分を斜めから見て示している。同図において、閉鎖面１７は奥方に延設されており、同閉鎖面１７に対して所定の間隔を隔てつつ略平行となる一対の係止部１５，１５が形成されている。皿部材１０も透明な合成樹脂で形成されており、閉鎖面１７や係止部１５，１５も一体成型により形成されている。以下、一方の係止部１５について説明する。係止部１５は先端部分が略Ｕ字状に形成されており、皿部材１０の本体部の奥方壁面とは略棒状の連結部１５ａにより接合している。
【００４８】
係止部１５の奥方部分には、軸方向が蓋部材２０および皿部材１０のスライド方向と略同一方向に配向し、互いに略平行な一対の略棒状の係止片１５ｂ，１５ｂが形成されている。係止片１５ｂ，１５ｂの先端にはそれぞれ略三角柱状の凸部１５ｃ，１５ｃが形成されており、凸部１５ｃ，１５ｃはそれぞれ先端に近づくほど幅が狭くなるようになっている。また、凸部１５ｃ，１５ｃにおいては係止片１５ｂ，１５ｂの軸方向とそれぞれ略垂直な係止面１５ｃ１，１５ｃ１が形成されており、同係止面１５ｃ１，１５ｃ１は前方に対面している。なお、一対の係止部１５，１５はそれぞれ全く同様の構成となっている。一対の係止部１５，１５の幅方向内側には二個のネジ止め穴１６，１６が穿設されている。
【００４９】
図７は、待ち受け部２５を下方から見て示している。すなわち、図４において矢印により示した方向から待ち受け部２５を見て示している。待ち受け部２５，２５は、一対の係止部１５，１５に対応した位置に一対形成されている。以下、一方の待ち受け部２５について説明する。待ち受け部２５は下方に向かって立設する奥方壁面２５ｄおよび一対の側方壁面２５ｅ，２５ｅとにより三方から囲まれた略矩形凹状となっている。略矩形凹状の待ち受け部２５の底面は平面状の底面２５ｇにより構成されており、同底面２５ｇに窓穴２８が穿設されている。
【００５０】
一対の側方壁面２５ｅ，２５ｅからそれぞれ内側に向かって突出する一対の第三のガイド部２５ｃ，２５ｃ、および、同第三のガイド部２５ｃ，２５ｃより奥方部位からそれぞれ内側に向かって突出する一対の第一のガイド部２５ｂ，２５ｂが形成されている。第一および第三のガイド部２５ｂ，２５ｂ，２５ｃ，２５ｃのいずれにおいても幅方向内側に対面する傾斜面がそれぞれ形成されており、同各傾斜面は奥方に行くほど第一および第三のガイド部２５ｂ，２５ｂ，２５ｃ，２５ｃの幅を広げる傾斜角度となっている。なお、第一のガイド部２５ｂ，２５ｂの突出量は第三のガイド部２５ｃ，２５ｃの突出量よりも大きくなるように形成されている。第一のガイド部２５ｂ，２５ｂにおいては皿部材１０のスライド方向と略垂直な一対の抜け止め面２５ｂ１，２５ｂ１がそれぞれ形成されており、同抜け止め面２５ｂ１，２５ｂ１はそれぞれ奥方に対面している。なお、第一および第三のガイド部２５ｂ，２５ｂ，２５ｃ，２５ｃと奥方壁面２５ｄおよび一対の側方壁面２５ｅ，２５ｅとは全て同じ高さに形成されている。
【００５１】
底面２５ｇにおける奥方部分の幅方向略中央には第二のガイド部２５ａが形成されている。第二のガイド部２５ａは、前方部分の傾斜面２５ａ１と、奥方部分の規制部２５ａ２とから構成されている。規制部２５ａ２は底面２５ｇから所定の高さをもって突設された略矩形状となっている。そして、底面２５ｇと規制部２５ａ２の前方端部とを繋ぐように、奥方に行くにつれて高さが高くなる傾斜面２５ａ１が形成されている。なお、規制部２５ａ２の奥方端部は奥方壁面２５ｄまで到達している。また、第二のガイド部２５ａの規制部２５ａ２および傾斜面２５ａ１の幅は、上述した係止片１５ｂ，１５ｂの間隔よりもわずかに小さく形成されている。一方、側方壁面２５ｅを挟んだ第一および第三のガイド部２５ｂ，２５ｃの反対側には、リブ２６ａ，２６ｂがそれぞれ形成されている。また、外側にリブ２６ａ，２６ｂが形成されない側方壁面２５ｅは厚みが厚く形成されている。
【００５２】
図８は、係合させる際の待ち受け部２５と係止部１５を下方から見て示している。図９は、図８において示した断面線Ｘ１における断面を見て示している。同図においては、待ち受け部２５に係止部１５を係合させる直前の状態を示している。すなわち、係止部１５が待ち受け部２５に対して徐々に奥方に進行していく様子を示している。なお、このとき蓋部材２０に対して皿部材１０はスライドしており、皿部材１０の開口は次第に蓋部材２０に覆われて閉鎖されることとなる。なお、図８においては係止部１５の下方に位置する閉鎖面１７は図の簡略化のため省略し、輪郭のみを破線で示している。
【００５３】
係止部１５は、皿部材１０のスライドに伴って、待ち受け部２５の前方から待ち受け部２５の内部に侵入する。待ち受け部２５においては、前方のみが各壁面２５ｄ，２５ｅ，２５ｅにより区画されていないため、係止部１５が前方から侵入することが可能となっている。また、奥方に進行する係止部１５に対しては、底面２５ｇが上方から対向している。
【００５４】
係止片１５ｂ，１５ｂは、それぞれ先端に形成された略三角柱状の凸部１５ｃ，１５ｃが第一のガイド部２５ｂ，２５ｂのそれぞれの傾斜面に当接することにより、奥方への進行が妨げられている。そして、さらに係止片１５ｂ，１５ｂを奥方に押し込んでいくと、凸部１５ｃ，１５ｃが第一のガイド部２５ｂ，２５ｂのそれぞれの傾斜面に案内されて幅方向内側に変位する。略棒状の係止片１５ｂ，１５ｂにおいては、凸部１５ｃ，１５ｃを内側に変位させるべく、それぞれ先端を自由端として内側に撓んでいる。また、凸部１５ｃ，１５ｃがそれぞれ幅方向内側に変位することにより、第二のガイド部２５ａの幅よりも両者の間隔は狭くなっている。係止片１５ｂ，１５ｂがそれぞれ内側に撓む際には、第一のガイド部２５ｂ，２５ｂは撓みの反力を受けることとなるが、第一のガイド部２５ｂ，２５ｂが形成された側方壁面２５ｅ，２５ｅはリブ２６ａ，２６ｂや厚みによって補強されているため、同反力によって変形させられることもない。
【００５５】
図１０は、係止部１５がさらに奥方に進行した状態を下方から見て示している。図１１は、図１０の状態を断面線Ｘ１から見て示している。図１０および図１１において、さらに係止片１５ｂ，１５ｂが内側に撓みつつ、先端の凸部１５ｃ，１５ｃがともに第二のガイド部２５ａの傾斜面２５ａ１まで到達している。第二のガイド部２５ａの傾斜面２５ａ１は高さ方向に勾配を有しているため、奥方に進行しようとする凸部１５ｃ，１５ｃは下方に案内される。従って、凸部１５ｃ，１５ｃがそれぞれ下方に変位し、それに伴って係止片１５ｂ，１５ｂがそれぞれ下方に向かって撓むこととなる。すなわち、本状態においては係止片１５ｂ，１５ｂはそれぞれの軸方向に進行しつつ、同軸方向とは略垂直な幅方向、および、同軸方向と同幅方向と略垂直な下方向に向かって撓んでいる。なお、係止片１５ｂ，１５ｂにおける撓みは、係止片１５ｂ，１５ｂの弾性変形領域において行われている。
【００５６】
図１２は、係止部１５がさらに奥方に進行して係合が完了した状態を下方から見て示している。図１３は、図１２の状態を断面線Ｘ１から見て示している。図１２および図１３において、閉鎖面１７は奥方に進行し前方端部が待ち受け部２５の奥方壁面２５ｄの下端に接触している。従って、下方に開口していた待ち受け部２５は下方から閉鎖面１７により蓋がされ、外部から閉鎖された空間となる。閉鎖面１７は、奥方壁面２５ｄのみならず側方壁面２５ｅ，２５ｅや第一および第三のガイド部２５ｂ，２５ｂ，２５ｃ，２５ｃのそれぞれの下端にも接触している。一方、係止部１５は、先端部が奥方壁面２５ｄに突き当たるまで進行している。また、係止部１５は原形状に復帰している。すなわち、第一のガイド部２５ｂ，２５ｂおよび第二のガイド部２５ａによる干渉から解放されて、弾性的に原形状に復帰している。
【００５７】
ここで、係止部１５が原形状に復帰するにあたっての各部の作用について説明する。まず、係止片１５ｂ，１５ｂにおける先端の凸部１５ｃ，１５ｃが第一のガイド部２５ｂ，２５ｂを通過しきったところで、係止片１５ｂ，１５ｂは第一のガイド部２５ｂ，２５ｂによる幅方向の干渉から解放される。従って、係止片１５ｂ，１５ｂは幅方向に関しては原形状に復帰することができ、軸方向が互いに略平行となるまで復元する。このとき、第一のガイド部２５ｂ，２５ｂに形成された奥方に対面する抜け止め面２５ｂ１，２５ｂ１のそれぞれに凸部１５ｃ，１５ｃに形成された係止面１５ｃ１，１５ｃ１が奥方から対面することとなる。ただし、係止片１５ｂ，１５ｂは、図１３において破線で示すように高さ方向の撓みは依然として保持された形状となる。
【００５８】
そして、係止片１５ｂ，１５ｂが幅方向に関して原形状に復帰すると、先端の凸部１５ｃ，１５ｃは互いに幅方向に離間する。すると、原形状における係止片１５ｂ，１５ｂの間隔よりやや幅を小さく形成された第二のガイド部２５ａよりも幅方向外側に凸部１５ｃ，１５ｃが位置することとなる。すなわち、凸部１５ｃ，１５ｃに上方から第二のガイド部２５ａが干渉しなくなるため、係止片１５ｂ，１５ｂは高さ方向に関して原形状に復帰することが可能となる。従って、図１３において実線で示すように、係止片１５ｂ，１５ｂは底面２５ｇに対して略平行に接する。このとき、規制部２５ａ２の幅方向の側面に対して凸部１５ｃ，１５ｃのそれぞれの内側の側面が外側から対面する。
【００５９】
かかる構成により、係止部１５が待ち受け部２５に係合し、蓋部材２０と皿部材１０とを相対固定することができる。第一のガイド部２５ｂ，２５ｂの抜け止め面２５ｂ１，２５ｂ１のそれぞれに凸部１５ｃ，１５ｃの係止面１５ｃ１，１５ｃ１が奥方から対面することにより、係止面１５ｃ１，１５ｃ１が前方に移動することが規制されるからである。従って、係止部１５が待ち受け部２５に対して抜け止めされ、両者が形成された皿部材１０と蓋部材２０とが相対固定されることとなる。これにより、皿部材１０の開口を蓋部材２０で閉鎖した状態で制御ボックス７０を封止させることができる。
【００６０】
また、このように構成した制御ボックス７０の不正防止性は非常に高いものとなる。係止部１５の待ち受け部２５に係合を解除させるためには、抜け止め面２５ｂ１，２５ｂ１と係止面１５ｃ１，１５ｃ１との対面を解除させる必要がある。ところが、そのために係止片１５ｂ，１５ｂを互いに内側に撓ませて係止面１５ｃ１，１５ｃ１を抜け止め面２５ｂ１，２５ｂ１よりも内側にずらそうとしても、凸部１５ｃ，１５ｃのそれぞれの内側に規制部２５ａ２の側面が干渉するため、係止片１５ｂ，１５ｂを互いに内側に撓ませることが不可能となっている。また、単に係止片１５ｂ，１５ｂを下方に撓ませただけでも、係合を解除することは不可能となっている。抜け止め面２５ｂ１，２５ｂ１が形成された第一のガイド部２５ｂ，２５ｂの下端が閉鎖面１７まで到達しており、それより下方に凸部１５ｃ，１５ｃを変位させようとしても閉鎖面１７が干渉してこれを妨げるからである。
【００６１】
すなわち、係止片１５ｂ，１５ｂを互いに内側に撓ませるためには、凸部１５ｃ，１５ｃのそれぞれの内側に規制部２５ａ２の側面が干渉しないように係止片１５ｂ，１５ｂを下方に撓ませつつ内側に撓ませなければならない。つまり、係止片１５ｂ，１５ｂに順に異なる２方向から外力を作用させることが必要となるため、簡単に係合を解除することはできなくなっている。特に、必要となる外力の方向が互いに略直角に交差する方向となっており、共通の方向成分を有していない。従って、一方向に撓ませたことによって、偶然もう一方向にも撓んで係合が解除されてしまうこともない。
【００６２】
また、係止片１５ｂ，１５ｂ双方に同時に変形させることが必要となるため、より係合の解除は困難となっている。さらに、待ち受け部２５の内部に侵入した係止部１５は、待ち受け部２５の各壁面および閉鎖面１７により外部から閉鎖されているため、これらに穴を形成したり隙間から異物を侵入させたりしない限り係止片１５ｂ，１５ｂに外力を作用させることができなくなっている。待ち受け部２５を上方に押し上げることにより閉鎖面１７との間に隙間を空けることが可能であるが、図５に示すように浮き止め部２９の一端が切り欠き１４ａ１に入り込んでいるため、待ち受け部２５の上方への変位が規制される。
【００６３】
略板状部２１には底面２５ｇや同底面２５ｇに対して垂直な壁面２５ｅ，２５ｄやリブ２６ａ，２６ｂが備えられるため、全体として剛性が高くなっている。従って、待ち受け部２５と浮き止め部２９との高さに差が生じるように略板状部２１を変形させることにより、待ち受け部２５付近のみを上方に浮かせて隙間を設けることも困難となっている。また、制御ボックス７０の封止状態において待ち受け部２５を閉鎖面１７により閉鎖するようにしているため、待ち受け部２５を開放した形状に成形することができる。従って、待ち受け部２５の樹脂成形において、型抜きが困難となることもない。待ち受け部２５に対して略棒状の係止片１５ｂ，１５ｂは軸方向に挿入されるため、係止片１５ｂ，１５ｂを挿入させるためのスペースを待ち受け部２５に広く形成する必要がない。また、係止片１５ｂ，１５ｂは互いに間隔を狭めるように内側に撓むため、撓む分のスペースを外側に確保する必要もない。従って、待ち受け部２５をコンパクトに形成することができる。
【００６４】
さらに、係止面１５ｃ１，１５ｃ１と抜け止め面２５ｂ１，２５ｂ１は係止片１５ｂ，１５ｂの挿入方向に対して垂直であり、それぞれ互いに略平行に対面する。従って、係止片１５ｂ，１５ｂを無理に引き抜こうとしても両者を接触面にてずらすような分力は発生しない。そのため、係止片１５ｂ，１５ｂを無理に引っ張っても、係合が解除されてしまうこともない。
【００６５】
以上説明したように、制御ボックス７０の封止は非常に強固なものとなるが、封止させる際には、単に蓋部材２０と皿部材１０とをスライドさせればよい。係止片１５ｂ，１５ｂの進行を第一のガイド部２５ｂ，２５ｂおよび規制部２５ａ２が妨げるが、第一のガイド部２５ｂ，２５ｂの傾斜面および第二のガイド部２５ａの傾斜面２５ａ１がそれぞれ案内するため、スムーズに係合させることができる。従って、工具等を使用することもなく、非常に簡単に封止を行うことができる。
【００６６】
さらにスムーズに係合させるために、第二のガイド部２５ａの傾斜面２５ａ１にスライド方向の勾配を設けつつ、同傾斜面２５ａ１の幅方向中央が高く、外側が裾状となるように幅方向にも勾配を持たせることも可能である。このようにすることにより、第一のガイド部２５ｂ，２５ｂに案内されて幅方向外側から内側に進行する係止片１５ｂ，１５ｂをスムーズに高さ方向に撓ませることが可能となる。この場合、係止片１５ｂ，１５ｂを幅方向内側に撓ませつつ、同時に高さ方向にも撓ませることができるため、傾斜面２５ａ１の開始位置を第一のガイド部２５ｂ，２５ｂよりもスライド方向奥方に位置させなくてもよい。
【００６７】
一方、制御基板２３のメンテナンス等の目的で制御ボックス７０を開放させる際には係止部１５と待ち受け部２５による封止を解除させなければならない。この場合には、図１４に示すように窓穴２８，２８からニッパー等の刃物を侵入させて係止部１５の連結部１５ａを切断すればよい。このようにすることにより、係止部１５による拘束を受けることなく、蓋部材２０と皿部材１０とはスライドすることが可能となる。窓穴２８，２８は、上方から視認可能な位置に形成されているため、制御ボックス７０をパチンコ機６０に配設した際には、その様子を背面から視認することが可能となる。従って、不正に連結部１５ａが切断されたことを簡単に発見することができ、制御基板２３等に不正がされた状態で長期にわたって遊技がされることを防止することができる。また、蓋部材２０と皿部材１０とは透明な合成樹脂で形成されているため、窓穴２８，２８が形成されている部位でなくとも破損状態の視認はしやすくなっている。
【００６８】
（４）第二の実施形態：
図１５および図１６は、第二の実施形態にかかる係止部および待ち受け部を下方および断面線Ｘ１から見て示している。図１５および図１６において、係止部１１５が挿入され待ち受け部１２５との係合が完了した状態を示している。図１５において、第一の実施形態と同様に規制部１２５ａ２が底面１２５ｇから下方に突設されているが、第一の実施形態における傾斜面２５ａ１に相当するものが形成されていない。一方、窓穴１２８の奥方に第二のガイド部１２５ｆ，１２５ｆが一対形成されている。第二のガイド部１２５ｆ，１２５ｆは、係止部１１５の連結部１１５ａの幅よりやや広い間隔をあけて幅方向に並列している。第二のガイド部１２５ｆ，１２５ｆは、図１６に示すように奥方になるにつれて底面１２５ｇに対して高さを増す傾斜面を有し、奥方には底面１２５ｇに垂直に交差する第二の抜け止め面１２５ｆ１，１２５ｆ１をそれぞれ有している。なお、以上説明した以外の部位については、第一の実施形態と同様の構成となっているため説明を省略する。
【００６９】
このようにすることにより、係止部１１５を待ち受け部１２５に挿入すると、まず第一のガイド部１２５ｂ，１２５ｂが係止片１１５ｂ，１１５ｂのそれぞれの凸部１１５ｃ，１１５ｃに干渉して係止片１１５ｂ，１１５ｂを内側に撓ませる。さらに係止部１１５を待ち受け部１２５の奥方に挿入すると、係止部１１５は第二のガイド部１２５ｆ，１２５ｆの傾斜面に案内されて下方に撓むこととなる。従って、規制部１２５ａ２に前方から干渉することなく、係止部１１５を挿入させることができる。そして、凸部１１５ｃ，１１５ｃが第一のガイド部１２５ｂ，１２５ｂの内側を通過しきると同時に係止部１１５は第二のガイド部１２５ｆ，１２５ｆの傾斜面上を通過するため、係止部１１５は原形状に復元することができる。
【００７０】
このとき、第一の実施形態と同様に係止面１１５ｃ１，１１５ｃ１はそれぞれ抜け止め面１２５ｂ１，１２５ｂ１に奥方から対面するため、係止部１１５は待ち受け部１２５に係合する。同時に、本実施形態においては、第二のガイド部１２５ｆ，１２５ｆの第二の抜け止め面１２５ｆ１，１２５ｆ１に、係止部１１５の前方に法線が配向する面が奥方から対向するため、ここにおいても係止部１１５を待ち受け部１２５に係合させることができる。従って、両者の係合をより強固なものとし、制御ボックスの封止を強化することができる。また、係止部１１５と待ち受け部１２５との係合を解除するには、係止部１１５を下方に撓ませつつ係止片１１５ｂ，１１５ｂを内側に撓ませなければならないため、係合の解除を非常に困難なものとすることができる。本実施形態においては係止片１１５ｂ，１１５ｂの間に規制部１２５ａ２が入り込む構成としたが、規制部１２５ａ２がなかったとしても、係合を解除するには係止部１１５を下方に撓ませつつ係止片１１５ｂ，１１５ｂを内側に撓ませなければならないことには相違ない。
【００７１】
また、本実施形態において第一のガイド部１２５ｂ，１２５ｂが撓ませる部位はおもに係止片１１５ｂ，１１５ｂであるが、第二のガイド部１２５ｆ，１２５ｆが撓ませる部位は、おもに第二のガイド部１２５ｆ，１２５ｆとの接触する部位より固定端側となる連結部１１５ａとなっている。このようにすることにより、各方向への撓みによって係止部１１５にかかるストレスを分散させることができる。また、変形量も一箇所に集中しないため、各方向の撓みを係止部１１５の弾性変形領域内にて行わせるような設計をしやすくすることができる。
【００７２】
（５）第三の実施形態：
第一および第二の実施形態においては皿部材と蓋部材とが互いにスライド可能制御ボックスについて例示したが、本発明においては皿部材と蓋部材とが相対移動する際に係止片が待ち受け部に挿入されればよく、例えば第三の実施形態のように両者が回動可能であってもよい。図１７は、第三の実施形態にかかる制御ボックス２７０を側方から見て示している。同図において、制御ボックス２７０は皿部材２１０と蓋部材２２０とで構成され、皿部材２１０と蓋部材２２０とはヒンジ機構２５０により回動可能となっている。すなわち、ヒンジ機構２５０が形成されない紙面右側端部を自由端として皿部材２１０と蓋部材２２０とが回動可能となっている。そして、皿部材２１０と蓋部材２２０とが略平行となる位置において、皿部材２１０の開口が蓋部材２２０により閉鎖される。
【００７３】
皿部材２１０の同自由端側には係止片２１５ｂが先端を上方に配向させて立設している。そして、蓋部材２２０の同自由端側における係止片２１５ｂの円周軌道上には待ち受け部２２５が形成されており、同待ち受け部２２５は下方から係止片２１５ｂが挿入可能となっている。なお、図示しないが係止片２１５ｂと待ち受け部２２５の構成は第一の実施形態と同様となっており、配設方向のみが係止片２１５ｂの挿入方向が皿部材２１０と蓋部材２２０の回転方向となるように変更されている。
【００７４】
また、皿部材２１０の開口が蓋部材２２０によって閉鎖されるまで皿部材２１０と蓋部材２２０とを回動させると、丁度、係止片２１５ｂと待ち受け部２２５とが係合するように形成されている。従って、制御ボックス２７０を閉鎖させた状態で皿部材２１０と蓋部材２２０とを封止させることが可能となっている。本実施形態においても係止片２１５ｂは待ち受け部２２５に対して強固に係合するため、容易に不正がされることのない制御ボックス２７０を実現することができる。
【００７５】
なお、本発明においては皿部材と蓋部材とが相対移動する際に係止片が待ち受け部に挿入されればよく、両者がスライド可能であったり回動可能であったりするものに限られるものではない。むろん、スライドと回動を組み合わせたものであってもよいし、他の動作により係止片が待ち受け部に挿入されるものであってもよい。
【００７６】
（６）まとめ：
以上説明したように、本発明にかかる遊技機において、待ち受け部に第一および第二のガイド部を設け、それぞれにより異なる方向に係止片を撓ませつつ待ち受け部に係合させる。これにより、上記係合を解除する場合にも異なる二方向に係止片を撓ませることが必要となり、同係合の解除が困難となる。従って、制御ボックスの封止が強固で、簡単に制御基板等に不正がなされない遊技機を提供することができる。
【図面の簡単な説明】
【００７７】
【図１】本発明にかかる制御ボックスを使用するパチンコ機の背面図である。
【図２】本発明にかかる制御ボックスを使用するスロットマシンの背面図である。
【図３】第一の実施形態にかかる制御ボックスの平面図である。
【図４】第一の実施形態にかかる制御ボックスの斜視図である。
【図５】第一の実施形態にかかる制御ボックスの斜視図である。
【図６】第一の実施形態にかかる皿部材の斜視図である。
【図７】第一の実施形態にかかる蓋部材の底面図である。
【図８】第一の実施形態にかかる制御ボックスが封止される状態を示した底面図である。
【図９】第一の実施形態にかかる制御ボックスが封止される状態を示した断面図である。
【図１０】第一の実施形態にかかる制御ボックスが封止される状態を示した底面図である。
【図１１】第一の実施形態にかかる制御ボックスが封止される状態を示した断面図である。
【図１２】第一の実施形態にかかる制御ボックスが封止された状態を示した底面図である。
【図１３】第一の実施形態にかかる制御ボックスが封止された状態を示した断面図である。
【図１４】第一の実施形態にかかる制御ボックスの平面図である。
【図１５】第二の実施形態にかかる制御ボックスが封止された状態を示した底面図である。
【図１６】第二の実施形態にかかる制御ボックスが封止された状態を示した断面図である。
【図１７】第三の実施形態にかかる制御ボックスの側面図である。
【符号の説明】
【００７８】
１０，２１０…皿部材
１２…ピン受け部
１４ａ…ガイド樋
１４ａ１…切り欠き
１５，１１５…係止部
１５ａ，１１５ａ…連結部
１５ｂ，１１５ｂ，２１５ｂ…係止片
１５ｃ，１１５ｃ…凸部
１５ｃ１，１１５ｃ１…係止面
１６…ネジ止め穴
１７…閉鎖面
２０，２２０…蓋部材
２１…略板状部
２２…蓋部
２３…制御基板
２４ａ…ガイドレール
２５，１２５…待ち受け部
２５ａ…第二のガイド部
２５ａ１…傾斜面
２５ａ２，１２５ａ２…規制部
２５ｂ，１２５ｂ…第一のガイド部
２５ｂ１，１２５ｂ１…抜け止め面
２５ｃ…第三のガイド部
２５ｄ…奥方壁面
２５ｅ…側方壁面
２５ｇ，１２５ｇ…底面
２６ａ，２６ｂ…リブ
２７…ネジ止め穴
２８，１２８…窓穴
２９…浮き止め部
４０…ピン
５０…金属片
６０…パチンコ機
７０，２７０…制御ボックス
８０…スロットマシン
８０…同スロットマシン
９０…制御ボックス
１２５ｆ１…第二の抜け止め面
２５０…ヒンジ機構
【図１】
2005144015.tif 000003
【図２】
2005144015.tif 000004
【図３】
2005144015.tif 000005
【図４】
2005144015.tif 000006
【図５】
2005144015.tif 000007
【図６】
2005144015.tif 000008
【図７】
2005144015.tif 000009
【図８】
2005144015.tif 000010
【図９】
2005144015.tif 000011
【図１０】
2005144015.tif 000012
【図１１】
2005144015.tif 000013
【図１２】
2005144015.tif 000014
【図１３】
2005144015.tif 000015
【図１４】
2005144015.tif 000016
【図１５】
2005144015.tif 000017
【図１６】
2005144015.tif 000018
【図１７】
2005144015.tif 000019